(57)【要約】【課題】被挟持物への取付時に、埃等が付着しにくいようにペン先部を保護しつつ、前記ペン先部に起因するクリップ部の意匠性の低下を防止できるとともに、前記クリップ部の意匠性の自由度を高めることができるクリップ付きスタイラスペンを提供する。【解決手段】前後方向に対向配置された第１挟持片１１及び第２挟持片１２を有するクリップ部１０と、タッチパネルに接触させるためのペン先部４０とが備えられている。前記第１挟持片の正面側に意匠が施され、前記第２挟持片に、前記第１挟持片との連結部２３と、前記第１挟持片に圧接され得る圧接部３２とが含まれている。前記第２挟持片の連結部よりも圧接部側に、前記ペン先部が連結されている。前記クリップ部を正面から見たとき、前記第２挟持片が前記第１挟持片の陰に隠れるように設けられ、かつ、前記ペン先部の少なくとも一部が露出するように前記第１挟持片の外周縁よりも外方に設けられている。【選択図】図４
0003182356.tif 000002
【実用新案登録請求の範囲】
【請求項１】
電子機器のタッチパネルへの入力操作を行うためのクリップ付きスタイラスペンであって、
前後方向に対向配置された第１挟持片及び第２挟持片を有し、前記第１挟持片及び前記第２挟持片によって被挟持物を挟持し得るクリップ部と、
前記タッチパネルに接触させるためのペン先部とを備えており、
前記第１挟持片の正面側に、意匠が施され、
前記第２挟持片に、前記第１挟持片に連結された連結部と、前記被挟持物を介して前記第１挟持片に圧接され得る圧接部とが含まれ、
前記第２挟持片の連結部よりも圧接部側に、前記ペン先部が直接又は間接的に連結され、
前記クリップ部を正面から見たとき、前記第２挟持片が前記第１挟持片の陰に隠れるように設けられ、かつ、前記ペン先部の少なくとも一部が露出するように前記第１挟持片の外周縁よりも外方に設けられていることを特徴とするクリップ付きスタイラスペン。
【請求項２】
前記第２挟持片の背面に、指の腹部が接触し得る凹部が形成されていることを特徴とする請求項１に記載のクリップ付きスタイラスペン。
【請求項３】
前記第１挟持片は、平板状に形成されて、前記第２挟持片に向かって突出する第１の連結部を有し、
前記第２挟持片は、前記第１挟持片に向かって突出して前記第１連結部と対向配置される第２の前記連結部を有し、
前記第１挟持片及び前記第２挟持片は、前記第１の連結部及び前記第２の連結部の一方に設けられた突起を他方に設けられた係止孔に係止させることによって、前記突起を中心に相対回動可能に構成されていることを特徴とする請求項１又は請求項２に記載のクリップ付きスタイラスペン。
【考案の詳細な説明】
【技術分野】
【０００１】
本考案は、クリップ付きスタイラスペンに関する。
【背景技術】
【０００２】
タッチパネルを有するディスプレイを備えた電子機器に関し、前記タッチパネルへの入力操作（例えば、前記タッチパネルに表示されたボタンを押す操作）を行うために、スタイラスが使用される場合がある。この種のスタイラスにおいて、その収納時にも有意性があるものとして、例えば、特許文献１に記載のスタイラス兼用アクセサリーがある。
【０００３】
前記スタイラス兼用アクセサリーは、タッチパネルに接触させるための突起が本体に設けられ、タッチパネル操作用のスタイラスとして利用でき、かつ、スタイラスとして利用しない収納時にはアクセサリーとして利用できるものである。そして、前記スタイラス兼用アクセサリーは、収納時に使用者の衣服に取付可能なようにクリップが前記本体に設けられるようになっている。
【０００４】
しかしながら、前記スタイラス兼用アクセサリーには、これがクリップにより衣服（被挟持物）に取り付けられ収納された場合、前記突起が前記本体と共に前記衣服の外部に露出してしまうため、前記突起により前記スタイラス兼用アクセサリーの外観の意匠性が損なわれたり、前記突起に基づく意匠の制限が生じたりするおそれがあった。
【０００５】
また、この場合、前記突起の外部への露出により当該突起に埃やゴミ等が付着しやすくなる。したがって、前記スタイラス兼用アクセサリーには、これを衣服から取り外し、つづいてスタイラス兼用アクセサリーをスタイラスとして利用する際、その利用前に前記突起から埃やゴミ等を取り除かなければならないという手間が生じるおそれもあった。
【先行技術文献】
【特許文献】
【０００６】
【特許文献１】実用新案登録第３１６０４０１号公報（第４頁、図３）
【考案の概要】
【考案が解決しようとする課題】
【０００７】
本考案は、このような問題を解決するためになされたものであり、被挟持物への取付時に、埃やゴミ等が付着しにくいようにペン先部を保護しつつ、前記ペン先部に起因するクリップ部の意匠性の低下を防止できるとともに、前記クリップ部の意匠性の自由度を高めることができるクリップ付きスタイラスペンを提供することを目的とする。
【課題を解決するための手段】
【０００８】
請求項１に係る考案は、電子機器のタッチパネルへの入力操作を行うためのクリップ付きスタイラスペンであって、前後方向に対向配置された第１挟持片及び第２挟持片を有し、前記第１挟持片及び前記第２挟持片によって被挟持物を挟持し得るクリップ部と、前記タッチパネルに接触させるためのペン先部とを備えており、前記第１挟持片の正面側に、意匠が施され、前記第２挟持片に、前記第１挟持片に連結された連結部と、前記被挟持物を介して前記第１挟持片に圧接され得る圧接部とが含まれ、前記第２挟持片の連結部よりも圧接部側に、前記ペン先部が直接又は間接的に連結され、前記クリップ部を正面から見たとき、前記第２挟持片が前記第１挟持片の陰に隠れるように設けられ、かつ、前記ペン先部の少なくとも一部が露出するように前記第１挟持片の外周縁よりも外方に設けられていることを特徴とするクリップ付きスタイラスペンである。
【０００９】
請求項２に係る考案は、請求項１に記載のクリップ付きスタイラスペンにおいて、前記第２挟持片の背面に、指の腹部が接触し得る凹部が形成されていることを特徴とするものである。
【００１０】
請求項３に係る考案は、請求項１又は請求項２に記載のクリップ付きスタイラスペンにおいて、前記第１挟持片が、平板状に形成されて、前記第２挟持片に向かって突出する第１の連結部を有し、前記第２挟持片が、前記第１挟持片に向かって突出して前記第１連結部と対向配置される第２の前記連結部を有し、前記第１挟持片及び前記第２挟持片は、前記第１の連結部及び前記第２の連結部の一方に設けられた突起を他方に設けられた係止孔に係止させることによって、前記突起を中心に相対回動可能に構成されていることを特徴とするものである。
【考案の効果】
【００１１】
請求項１に係る考案によれば、クリップ部を握りつつペン先部をタッチパネルに接触させて、クリップ付きスタイラスペンによる前記タッチパネルへの入力操作を行うことが可能となる。また、前記タッチパネルへの入力操作を行わないときには、前記クリップ部により前記クリップ付きスタイラスペンを被挟持物に取り付けて収納することが可能となる。したがって、前記クリップ付きスタイラスペンの使用状態と収納状態とを素早くかつ容易に切り替えることができる。また、前記クリップ付きスタイラスペンを収納するための収納手段を電子機器等に別途設けなくて済む。
【００１２】
しかも、前記クリップ付きスタイラスペンを収納する際、前記クリップ部における前記第１挟持片が前記被挟持物の外側に位置しかつ第２挟持片が前記被挟持物の内側に位置するように、前記クリップ付きスタイラスペンを前記被挟持物に取り付けることによって、前記ペン先部を前記被挟持物にて外部から隠した状態で、前記クリップ部の意匠部分を外部に露出させてアクセサリーとして機能させることが可能となる。したがって、埃やゴミ等が付着しにくいように前記ペン先部を保護しつつ、前記ペン先部に起因する前記クリップ部の意匠性の低下を防止できる。また、前記ペン先部が前記第２挟持片に連結されるので、前記ペン先部を考慮せずに前記第１挟持片に意匠を施すことが可能となって、前記クリップ部の意匠性の自由度を高めることができる。
【００１３】
請求項２に係る考案によれば、クリップ付きスタイラスペンを用いて前記タッチパネルへの入力操作を行うとき、前記クリップ部を安定して握ることが可能となる。したがって、前記タッチパネルへの入力操作時の操作性を高めることができる。
【００１４】
請求項３に係る考案によれば、前記クリップ部における前記第１挟持片及び前記第２挟持片の連結構造を簡易なものとすることが可能となる。したがって、前記クリップ部ひいては前記クリップ付きスタイラスペンの製造コストの低減化を図ることができる。
【図面の簡単な説明】
【００１５】
【図１】本考案の一実施形態に係るクリップ付きスタイラスペンを被挟持物に取り付けて収納した状態を示す図。
【図２】本考案の一実施形態に係るクリップ付きスタイラスペンの正面図。
【図３】本考案の一実施形態に係るクリップ付きスタイラスペンの背面図。
【図４】本考案の一実施形態に係るクリップ付きスタイラスペンの側面図。
【図５】本考案の一実施形態に係るクリップ付きスタイラスペンの平面図。
【図６】本考案の一実施形態に係るクリップ付きスタイラスペンの底面図。
【図７】本考案の一実施形態に係るクリップ付きスタイラスペンの側面断面図。
【図８】本考案の一実施形態に係るクリップ付きスタイラスペンの平面断面図。
【考案を実施するための形態】
【００１６】
本考案の好ましい実施形態について図面を参照しつつ説明する。
【００１７】
図１に、本考案の一実施形態に係るクリップ付きスタイラスペン１を被挟持物２に取り付けて収納した状態を示す。図２に、前記クリップ付きスタイラスペン１の正面図を示す。図３に、前記クリップ付きスタイラスペン１の背面図を示す。図４に、前記クリップ付きスタイラスペン１の側面図を示す。
【００１８】
また、図５に、前記クリップ付きスタイラスペン１の平面図を示す。図６に、前記クリップ付きスタイラスペン１の底面を示す。図７に、前記クリップ付きスタイラスペン１の側面断面図を示す。図８に、前記クリップ付きスタイラスペン１の平面断面図を示す。
【００１９】
本考案の一実施形態に係る前記クリップ付きスタイラスペン１は、図示しない電子機器のディスプレイに備えられたタッチパネルへの入力操作を行うために使用し得るものであり、この入力操作を行わないときには、図１に示すように、意匠が施された意匠部分３を外部に露出させた状態で、衣服、かばん、ノート又は手帳等の文房具を含む前記被挟持物２に取り付けて収納することができるものである。
【００２０】
図２、図３、図４、図５及び図６に示すように、前記クリップ付きスタイラスペン１は、クリップ部１０と、前記タッチパネルに接触させるためのペン先部４０とを備えている。
【００２１】
前記クリップ部１０は、前後方向に対向配置された第１挟持片１１及び第２挟持片１２を有し、前記第１挟持片１１及び前記第２挟持片１２によって前記被挟持物２（詳しくは、その比較的薄い縁部）を挟持（クリップ）し得るように構成されている。
【００２２】
前記第１挟持片１１の正面側には、所望の意匠が施されている。前記第２挟持片１２には、前記第１挟持片１１に連結された連結部２３（後述の第２連結部２３）と、前記被挟持物２を介して前記第１挟持片１１に圧接され得る圧接部３２とが備えられている。
【００２３】
前記ペン先部４０は、前記クリップ部１０が前記被挟持物２を挟持する際に前記第２挟持片１２の圧接部３２側（本実施形態においては下部側）と共に前記被挟持物２の内側に位置し得るように、前記第２挟持片１２の連結部２３よりも圧接部３２側に直接又は間接的に連結されている。
【００２４】
そして、前記クリップ部１０を正面から見たとき、図２に示すように、前記第２挟持片１２が前記第１挟持片１１の陰に隠れるように設けられ、かつ、前記ペン先部４０の少なくとも一部（先端側部分）が露出するように前記第１挟持片１１の外周縁よりも外方（下方）に設けられている。
【００２５】
以上の構成により、前記クリップ部１０を握りつつ前記ペン先部４０をタッチパネルに接触させて、前記クリップ付きスタイラスペン１による前記タッチパネルへの入力操作を行うことが可能となる。また、前記タッチパネルへの入力操作を行わないときには、前記クリップ部１０により前記クリップ付きスタイラスペン１を前記被挟持物２に取り付けて収納することが可能となる。したがって、前記クリップ付きスタイラスペン１の使用状態と収納状態とを素早くかつ容易に切り替えることができる。また、前記クリップ付きスタイラスペン１を収納するための収納手段を電子機器等に別途設けなくて済む。
【００２６】
しかも、前記クリップ付きスタイラスペン１を収納する際、前記クリップ部１０における前記第１挟持片１１が前記被挟持物２の外側に位置しかつ前記第２挟持片１２が前記被挟持物２の内側に位置するように、前記クリップ付きスタイラスペン１を前記被挟持物２に取り付けることによって、前記ペン先部４０を前記被挟持物２にて外部から隠した状態で、前記クリップ部１０の意匠部分３を外部に露出させてアクセサリーとして機能させることが可能となる。したがって、埃やゴミ等が付着しにくいように前記ペン先部４０を保護しつつ、前記ペン先部４０に起因する前記クリップ部１０の意匠性の低下を防止できる。また、前記ペン先部４０が前記第２挟持片１２に連結されるので、前記ペン先部４０を考慮せずに前記第１挟持片１１に意匠を施すことが可能となって、前記クリップ部１０の意匠性の自由度を高めることができる。
【００２７】
なお、本考案に係るクリップ付きスタイラスペンにおいて、前記クリップ部１０を正面から見たときに露出する前記ペン先部４０の大きさ（長さ）は、特に限定するものではなく、前記クリップ部１０の大きさ等に応じて任意に設定し得るものである。
【００２８】
次に、本実施形態に係る前記クリップ付きスタイラスペン１について、より詳細に説明する。
【００２９】
図２、図３、図４、図５及び図６に示すように、前記クリップ部１０において、前記第１挟持片１１と前記第２挟持片１２とは別体に構成されている。なお、本実施形態において前記クリップ部１０は前記第１挟持片１１及び前記第２挟持片１２を別体として構成しているが、本考案におけるクリップ部は第１挟持片及び第２挟持片を一体として構成することも可能である。
【００３０】
前記第１挟持片１１は、所望する意匠にあわせた形状とし得るものであり、合成樹脂又は金属等で構成される。前記第２挟持片１２は、全体が前記第１挟持片１１と対向配置されるものであり、合成樹脂又は金属等で構成される。本実施形態においては、前記第１挟持片１１及び前記第２挟持片１２が共に合成樹脂で構成され、当該第１挟持片１１の正面側に星型の意匠部分３が表示されるように意匠が施されている。
【００３１】
なお、本考案において、第１挟持片は、被挟持物を第２挟持片とでクリップする挟持部分と、意匠を施す意匠体部分とが一体に構成されるものに限られない。たとえば、前記第１挟持片は、前記被挟持物を第２挟持片とで挟持する挟持部分と、意匠を施された意匠体部分とを別体にして、前記挟持部分に意匠体部分を取付ける構成にしてもよいものである。また、前記第１挟持片の意匠体部分にはキャラクタ又はマーク等を刻印等により形成したり、あるいは、第１挟持片の意匠体部分の全体形状を任意の形状にしたりすることによって、所望の形状、模様又は色彩等を施すことができるものである。
【００３２】
図２、図３及び図４に示すように、本実施形態において、前記第１挟持片１１は丸形平板状に形成されている。そして、図５、図７及び図８にも示すように、前記第１挟持片１１の背面側に、第１連結部１３が備えられている。前記第１連結部１３は、前記第２挟持片１２の正面側に向かって（後方へ）突出するように設けられている。
【００３３】
詳しくは、前記第１連結部１３は、左右方向に所定の第１間隔を隔てて対向配置された一対の板状体１４・１５で構成されている。前記一対の板状体１４・１５には、それぞれ、外側方（左方・右方）に向かって突出する係止突起１６・１７が設けられている。また、前記第１挟持片１１の背面において、前記一対の板状体１４・１５の周囲には、凹部１８が形成されている。
【００３４】
図３及び図４に示すように、本実施形態において、前記第２挟持片１２は長円形平板状に形成されている。そして、図５及び図８にも示すように、前記第２挟持片１２の正面側に、前記第１挟持片１１の第１連結部１３と連結された前記第２連結部２３が備えられている。前記第２連結部２３は、前記第１挟持片１１の背面側に向かって（前方へ）突出するように設けられ、前記第１連結部１３と対向配置されている。
【００３５】
詳しくは、前記第２挟持片１２は、前記一対の板状体１４・１５の間に位置し、かつ、左右方向に前記第１間隔よりも短い第２間隔を隔てて対向配置された一対の板状体２４・２５で構成されている。前記一対の板状体２４・２５には、それぞれ、前記第１連結部１３における前記係止突起１６・１７を係止可能な係止孔２６・２７が形成されている。
【００３６】
そして、図８に示すように、前記第１挟持片１１及び前記第２挟持片１２は、前記第２挟持片１２の先端部を前記第１挟持片１１の凹部１８に挿入させつつ、前記第１挟持片１１側の係止突起１６・１７を前記第２挟持片１２側の係止孔２６・２７に係止させることによって、前記第１挟持片１１の略中心部と前記第２挟持片１２の長手方向の略中央部とを組み付けて、前記係止突起１６・１７を中心に相対回動可能とされている。
【００３７】
これにより、前記クリップ部１０に関し、前記第１挟持片１１及び前記第２挟持片１２を連結するための部材（例えば、連結ピン）を別途用意する必要がなくなり、前記第１挟持片１１及び前記第２挟持片１２の連結構造が簡易なものとなる。したがって、前記クリップ部１０ひいては前記クリップ付きスタイラスペン１の製造コストの低減化を図ることができる。
【００３８】
また、図３及び図４に示すように、前記第２挟持片１２は、その長手方向の長さ（上下長）及び短手方向の長さ（左右長）が共に前記第１挟持片１１の直径よりも短くなるように形成されている。また、図７にも示すように、前記第２挟持片１２は、その長手方向先端部（下端部）が長手方向基端部（上端部）に比べて厚くなるように形成されている。
【００３９】
ここで、前記第２挟持片１２の長手方向基端部は、前記クリップ部１０が開いたときに前記第１挟持片１１の背面上部と当接し得る当接部３１とされている。また、前記第２挟持片１２の長手方向先端部は、後述のスプリング３５の付勢力により前記第１挟持片１１の背面下部に圧接され得る前記圧接部３２とされている。
【００４０】
図５及び図７に示すように、前記スプリング３５は、前記第１挟持片１１と前記第２挟持片１２との間に所定の挟持力が発生するように、これらの間に設けられている。前記スプリング３５は、本実施形態においては板ばねとされ、前記圧接部３２が前記第１挟持片１１の背面下部に圧接されるように、前記第１挟持片１１及び第２挟持片１２を付勢している。
【００４１】
このような構成により、前記クリップ部１０は、前記スプリング３５の付勢力によって前記圧接部３２が前記第１挟持片１１の背面下部に直接的に又は前記被挟持物２を介して間接的に圧接する閉状態（図４参照）と、前記当接部３１の操作により前記スプリング３５の付勢力に抗して前記圧接部３２が前記第１挟持片１１の背面下部から離間する開状態とのいずれか一方の状態をとり得るようになっている。
【００４２】
なお、本実施形態においては前記第１挟持片１１と前記第２挟持片１２とは、前記第１連結部１３側の係止突起１６・１７と前記第２連結部２３側の係止孔２６・２７とを用いて連結されているが、その連結構造は特に限定されるものではなく、本考案における第１挟持片及び第２挟持片は、例えば、それぞれの連結部に連結ピンを貫設することによって連結することも可能である。
【００４３】
また、図３、図７及び図８に示すように、本実施形態においては、前記第２挟持片１２の背面に、前記クリップ部１０が握られたときに指の腹部が接触し得る把持用凹部３８が形成されている。前記把持用凹部３８は、前記指の腹部に沿った曲面状の凹部とされ、所定の深さを有するように形成されている。
【００４４】
これにより、前記クリップ付きスタイラスペン１を用いて前記タッチパネルへの入力操作を行うとき、前記クリップ部１０を安定して握ることが可能となる。したがって、前記タッチパネルへの入力操作時の操作性を高めることができる。なお、前記把持用凹部３８は、前記クリップ部１０の開閉時の操作性も考慮すれば、前記第２連結部２３よりも上方寄りに配置することが好ましい。
【００４５】
図２、図３、図４、図６及び図７に示すように、前記ペン先部４０は、前記第２挟持片１２における前記第２連結部２３と前記圧接部３２とを結ぶ直線（図４に示す前記第２挟持片１２の長手方向（上下方向）に延びる直線）Ｌ１の略延長線上に位置するように前記圧接部３２に連結されている。
【００４６】
本実施形態において、前記ペン先部４０は、棒状に形成され、その長手方向が前記第２挟持片１２の長手方向に沿うように設けられている。また、前記ペン先部４０は、接触部４１と保持部４２とを備えている。
【００４７】
前記接触部４１は、導電性シリコン又はエラストマ等で構成され、閉塞した一端（先端）側の外周面に球面を備えた筒状に形成されている。そして、前記接触部４１は、その球面部分で前記タッチパネルに押し付けられるようになっている。
【００４８】
前記保持部４２は、先端側を前記接触部４１に挿入して当該接触部４１を着脱可能に保持し得るように構成されている。そして、前記保持部４２は、前記クリップ部１０を正面から見たときに前記第１挟持片１１の外周縁から外方（下方）へ向かって所定間隔を隔てた位置に少なくとも前記接触部４１の先端部が位置するように、基端側で前記第２挟持片１２の圧接部３２と一体的に連結されている。
【００４９】
なお、本実施形態においては前記ペン先部４０うちの前記保持部４２を前記第２挟持片１２と一体に構成しているが、本考案においてはペン先部全体を第２挟持片と別体に構成することも可能である。そして、この場合には、前記ペン先部と前記第２挟持片とを直接的に連結してもよいし、これらの間に設けた延長部材を介して間接的に連結してもよい。
【００５０】
また、前記クリップ部１０を正面から見たときの、前記第１挟持片１１の外周縁から前記接触部４１の先端までの長さ（上下長）は、前記クリップ部１０の大きさ等に応じて任意に設定し得るものであり、例えば、前記保持部４２の基端から先端までの長さ（上下長）を変更したり、所定長を有する延長部材を前記ペン先部４０と前記第２挟持片１２との間に介設したりすることによって調整することが可能である。
【符号の説明】
【００５１】
１    クリップ付きスタイラスペン
２    被挟持物
３    意匠部分
１０  クリップ部
１１  第１挟持片
１２  第２挟持片
１３  第１連結部
１６  係止突起
１７  係止突起
２３  第２連結部
２６  係止孔
２７  係止孔
３２  圧接部
３８  凹部
４０  ペン先部
【図１】
0003182356.tif 000003
【図２】
0003182356.tif 000004
【図３】
0003182356.tif 000005
【図４】
0003182356.tif 000006
【図５】
0003182356.tif 000007
【図６】
0003182356.tif 000008
【図７】
0003182356.tif 000009
【図８】
0003182356.tif 000010